【手続補正書】
【提出日】平成20年3月27日(2008.3.27)
【手続補正１】
【補正対象書類名】特許請求の範囲
【補正対象項目名】全文
【補正方法】変更
【補正の内容】
【特許請求の範囲】
【請求項１】
ビデオ符号化のための方法であって、
ビデオシーケンス内のＢピクチャのスライス部について、時間的動きベクトル予測と空間的動きベクトル予測との間の決定を行うステップと、
前記スライス部の決定を示すスライスレベル構文情報を信号化するステップであって、該信号化するステップは、前記ビデオシーケンス内のＢピクチャのスライス部に関連する動きの空間的予測を選択的に適用することを容易化するものであり、
前記空間的予測を選択的に適用するステップは、
デコーダにおいて、前記スライスレベル構文情報が前記スライス部についての時間的動きベクトル予測を示す場合には、前記スライス部に関連する動きの時間的予測を使用するステップと、
デコーダにおいて、前記スライスレベル構文情報が前記スライス部についての空間的動きベクトル予測を示す場合には、前記スライス部に関連する動きの空間的予測を使用するステップとを具え、
ここで、前記スライス部の現在部分についての空間的予測動きは、複数の隣接部分についての動きベクトル情報に基づいたものであり、
前記空間的予測は、前記複数の隣接部分の各々についての前記動きベクトル情報がゼロに設定された複数の動きベルトル成分を含むとき、前記現在部分についての空間的予測動きをゼロに設定することを特徴とする方法。
【請求項２】
前記Ｂピクチャのスライス部は、複数のマクロブロックからなることを特徴とする請求項１記載の方法。
【請求項３】
前記複数のマクロブロックは、直接モードマクロブロックからなることを特徴とする請求項２記載の方法。
【請求項４】
前記Ｂピクチャのスライス部は、複数の１６×１６マクロブロックからなることを特徴とする請求項１記載の方法。
【請求項５】
前記複数の１６×１６マクロブロックは、直接モードマクロブロックからなることを特徴とする請求項４記載の方法。
【請求項６】
前記複数の１６×１６直接モードマクロブロックは、４つの８×８サブブロックを含むことを特徴とする請求項５記載の方法。
【請求項７】
前記複数の隣接部分についての動きベクトル情報は、輝度動きベクトル情報を含むことを特徴とする請求項１記載の方法。
【請求項８】
前記スライス部の第２部分についての空間的予測動きは、複数の隣接部分についての動きベクトル情報に基づいたものであり、
前記第２部分についての空間的予測は、前記複数の隣接部分についての前記動きベクトル情報に基づいた中間予測を含むことを特徴とする請求項１記載の方法。
【請求項９】
ビデオ符号化のための方法であって、
ビデオシーケンス内のＢピクチャのスライス部の1つ又はそれ以上の直接モードマクロブロックについて、時間的動きベクトル予測と空間的動きベクトル予測との間の決定を示すスライスレベル構文情報を受信するステップと、
ここで、前記スライスレベル構文情報は、前記スライス部の1つ又はそれ以上の直接モードマクロブロックについて、前記ビデオシーケンス内のＢピクチャのスライス部に関連する動きの空間的予測を選択的に適用することを容易化するものであり、
前記1つ又はそれ以上の直接モードマクロブロックに関して、前記スライスレベル構文情報が前記スライス部についての時間的動きベクトル予測を示す場合には、前記スライス部に関連する動きの時間的予測を使用するステップと、
前記1つ又はそれ以上の直接モードマクロブロックに関して、前記スライスレベル構文情報が前記スライス部についての空間的動きベクトル予測を示す場合には、前記スライス部に関連する動きの空間的予測を使用するステップとを具え、
ここで、前記スライス部の前記1つ又はそれ以上の直接モードマクロブロックの現在直接モードマクロブロックについての空間的予測動きは、複数の隣接部分についての動きベクトル情報に基づいたものであり、
前記空間的予測は、前記複数の隣接部分の各々についての前記動きベクトル情報がゼロに設定された複数の動きベルトル成分を含むとき、前記現在直接モードマクロブロックについての空間的予測動きをゼロに設定することを特徴とする方法。
【請求項１０】
前記Ｂピクチャのスライス部は、複数のマクロブロックからなることを特徴とする請求項９記載の方法。
【請求項１１】
前記複数のマクロブロックは、前記１又はそれ以上の直接モードマクロブロックからなることを特徴とする請求項１０記載の方法。
【請求項１２】
前記Ｂピクチャのスライス部は、複数の１６×１６マクロブロックからなることを特徴とする請求項１記載の方法。
【請求項１３】
前記複数の１６×１６マクロブロックは、前記１又はそれ以上の直接モードマクロブロックからなることを特徴とする請求項１２記載の方法。
【請求項１４】
前記複数の１６×１６直接モードマクロブロックは、４つの８×８サブブロックを含むことを特徴とする請求項１３記載の方法。
【請求項１５】
前記複数の隣接部分についての動きベクトル情報は、輝度動きベクトル情報を含むことを特徴とする請求項９記載の方法。
【請求項１６】
前記現在直接モードマクロブロックについての空間的予測は、前記複数の隣接部分についての前記動きベクトル情報に基づいた中間予測を含むことを特徴とする請求項９記載の方法。
【請求項１７】
１又はそれ以上のコンピュータによってビデオ符号化のための方法を実行するためのコンピュータ実行命令を記憶した１つ又はそれ以上のコンピュータ可読媒体であって、
ビデオシーケンス内のＢピクチャのスライス部について、時間的動きベクトル予測と空間的動きベクトル予測との間の決定を行うステップと、
前記スライス部の決定を示すスライスレベル構文情報を信号化するステップであって、該信号化するステップは、前記ビデオシーケンス内のＢピクチャのスライス部に関連する動きの空間的予測を選択的に適用することを容易化するものであり、
前記空間的予測を選択的に適用するステップは、
デコーダにおいて、前記スライスレベル構文情報が前記スライス部についての時間的動きベクトル予測を示す場合には、前記スライス部に関連する動きの時間的予測を使用するステップと、
デコーダにおいて、前記スライスレベル構文情報が前記スライス部についての空間的動きベクトル予測を示す場合には、前記スライス部に関連する動きの空間的予測を使用するステップとを具え、
ここで、前記スライス部の現在部分についての空間的予測動きは、複数の隣接部分についての動きベクトル情報に基づいたものであり、
前記空間的予測は、前記複数の隣接部分の各々についての前記動きベクトル情報がゼロに設定された複数の動きベルトル成分を含むとき、前記現在部分についての空間的予測動きをゼロに設定することを特徴とするコンピュータ可読媒体。
【請求項１８】
前記Ｂピクチャのスライス部は、複数のマクロブロックからなることを特徴とする請求項１７記載のコンピュータ可読媒体。
【請求項１９】
前記複数のマクロブロックは、直接モードマクロブロックからなることを特徴とする請求項１８記載のコンピュータ可読媒体。
【請求項２０】
前記Ｂピクチャのスライス部は、複数の１６×１６マクロブロックからなることを特徴とする請求項１７記載のコンピュータ可読媒体。
【請求項２１】
前記複数の１６×１６マクロブロックは、直接モードマクロブロックからなることを特徴とする請求項２０記載のコンピュータ可読媒体。
【請求項２２】
前記複数の１６×１６直接モードマクロブロックは、４つの８×８サブブロックを含むことを特徴とする請求項２１記載のコンピュータ可読媒体。
【請求項２３】
前記複数の隣接部分についての動きベクトル情報は、輝度動きベクトル情報を含むことを特徴とする請求項１７記載のコンピュータ可読媒体。
【請求項２４】
前記スライス部の第２部分についての空間的予測動きは、複数の隣接部分についての動きベクトル情報に基づいたものであり、
前記第２部分についての空間的予測は、前記複数の隣接部分についての前記動きベクトル情報に基づいた中間予測を含むことを特徴とする請求項１７記載のコンピュータ可読媒体。